(57)【要約】【課題】継電器の接合物に対する抜き差しにアークを発生させない方法を提供する。【解決手段】  本考案の継電器の接合物に対する抜き差しにアークを発生させない方法は、継電器が接合物を挿入する時、継電器の接触端子が接合物と電気接続した後、継電器のコイル端子が接合物と電気接続し、接合物から継電器を抜き出す時、それは、継電器のコイル端子と接合物を先に接続解除した後、継電器の接触端子と接合物の接続を解除する。【選択図】図１
2020504417.tif 000002
【特許請求の範囲】
【請求項１】
継電器が接合物を挿入する時、継電器の接触端子が接合物と電気接続した後、継電器のコイル端子が接合物と電気接続し、接合物から継電器を抜き出す時、それは、継電器のコイル端子と接合物を先に接続解除した後、継電器の接触端子と接合物の接続を解除する、継電器の接合物に対する抜き差しにアークを発生させない方法。
【請求項２】
前記継電器は、コイル端子及び接触端子を含み、また、該コイル端子は、継電器から外へ延伸する距離の定義は、Ｘ１であり、該接触端子は、継電器から外へ延伸する距離の定義は、Ｘ２であり、そのうち、Ｘ１＜Ｘ２であり、即ち、コイル端子の長さが接触端子の長さより小さい、請求項１に記載の継電器の接合物に対する抜き差しにアークを発生させない方法。
【請求項３】
前記接合物は、継電器向きの組み合わせ面を有し、且つ組み合わせ面は、接合物内に入る接触挿入孔及びコイル挿入孔を設け、また、接触挿入孔及びコイル挿入孔内にそれぞれ接触クランプスプリング及びコイルクランプスプリングを配置し、接触クランプスプリング及びコイルクランプスプリングは、継電器の接触端と接触単位を挟持し、且つ接触クランプスプリングと組み合わせ面の間の最短距離をＹ１と定義し、コイルクランプスプリング及び組み合わせ面の間の最短距離をＹ２と定義し、そのうち、Ｙ１＜Ｙ２である、請求項１に記載の継電器の接合物に対する抜き差しにアークを発生させない方法。
【発明の詳細な説明】
【技術分野】
【０００１】
本発明は、継電器に関し、特に、回路から抜き指し過程からアークを発生せず、継電器及び継電器と接合する接合物を損壊させることがない継電器に関する（ここでは、接合物は、コンセント、回路、電子機器に継電器を組み立てさせる）。
【背景技術】
【０００２】
継電器(Relay)は、電子制御素子であり、自動化制御電子回路に応用され、例えば、通信交換機、工業制御、車両又は冷房機器等は、何れもその応用を有し、実際には、比較的小さな電流で比較的多き案電流を制御できる電子式自動スイッチであり、例えば、小さな電圧の電池又はマイクロコントローラであり、継電器を用いるだけで、モータ(motors)、変圧器 (transformers)、ヒータ (heaters)、電球 (bulbs)等の大きな電流機器のスイッチを切り換えることができる。継電器は、電子回路において、自動調節、安全保護、変換回路等の役割を担う。電流がコイルを流れる（励起）時、コイルが発生する磁性力は、継電器のプレートに吸引させて接触点を変化させ、コイルを流れる電流を消失させた後、プレートがバネの反作用力によって元の位置に戻し、従って、電磁的結合及び開放を利用して大電力機器のスイッチを制御することができる。
【０００３】
一般的には、継電器は、接点スイッチが電流を通過させた状態において、接点スイッチがオン、オフする時、一定の距離の間で空気中において火花、即ち、アーク現象を発生する。
【０００４】
また、もう１つ継電器１が発生し易い状況がある。特に、接合物１０（ここで指す接合物１０とは、継電器１が取り付けられる物体を指し、例えば、コンセント、機具、回路）が継電器１を抜き差しする過程である。継電器１のコイル端子１１及び接触端子１２の同等の長さは、図１１に示すとおりであり、接合物１０内部は、それぞれコイルクランプスプリング１０１、接触クランプスプリング１０２を有し、それぞれコイル端子１１、接触端子１２を挟持位置決めする。コイル端子１１及び接触端子１２は、継電器１底面が外側への延伸の長さが同じ距離であり、コイルクランプスプリング１０１、接触クランプスプリング１０２の配置位置は、何れも接合物１０の深さ位置と同じであり、特に、コイル端子１１及び接触端子１２の両者は、接合物１０のコイルクランプスプリング１０１、接触クランプスプリング１０２から完全に離脱せず、図面に示すように、コイル端子１１及び接触端子１２の点線部分及びコイルクランプスプリング１０１、接触クランプスプリング１０２は、依然として部分的に挟持接触しており、従って、電流がコイルクランプスプリング１０１、コイル端子１１を流れており、コイル端子１１及び接触端子１２は、この時にアークを発生し易く、継電器１及びそれが接合する接合物１０の損害を招く。
【０００５】
これに鑑み、本考案者は、従来の接合物１０から継電器１を抜き差しする時にアーク現象を発生し易い問題を解決するため、継電器１の改良を行い、アーク現象が継電器１とそれが接合する接合物１０を損傷することを回避する。
【先行技術文献】
【特許文献】
【０００６】
【特許文献１】特開2017-33952号公報
【発明の概要】
【発明が解決しようとする課題】
【０００７】
本発明は、接合物に対して継電器の抜き差しを行う過程でアーク現象の発生を回避でき、継電器及びそれと接合する接合物の損壊を招くことがないようにする。
【課題を解決するための手段】
【０００８】
前記目的及び効果を達成するため、継電器が接合物を抜き差しする際にアークを発生しないようにする方法を提供し、そのうち、継電器が接合物を挿入する時、継電器の接触端子が接合物と電気接続した後、継電器のコイル端子が接合物と電気接続し、接合物から継電器を抜き出す時、それは、継電器のコイル端子と接合物を先行して接続解除した後、継電器の接触端子と接合物の接続を解除することを含む。
【０００９】
該継電器は、コイル端子及び接触端子を含み、また、該コイル端子は、継電器から外へ延伸する距離の定義は、Ｘ１であり、該接触端子は、継電器から外へ延伸する距離の定義は、Ｘ２であり、そのうち、Ｘ１＜Ｘ２（即ち、コイル端子の長さが接触端子の長さより小さい）である。従って、継電器を抜き出す時、コイル端子の長さが接触端子の長さより小さいことによって、先ずコイル端子を切断し（電流が流れず、コイル端子が先行で接合物との電気接続関係を切り離す）、このように、アークを発生して継電器とそれが接合する接合物の傷害を招くことがない。接合物が継電器に挿入されて組み合わせられる時、接触端子は、先ず接合物と電気接触し、その後、コイル端子により接合物と電気接続し、同様に、アークを発生することなく、アークが継電器とそれと接合する接合物に損害を与えることもない。
【００１０】
該接合物は、継電器向きの組み合わせ面を有し、且つ組み合わせ面は、接合物内に入る接触挿入孔及びコイル挿入孔を設け、また、接触挿入孔及びコイル挿入孔内にそれぞれ接触クランプスプリング及びコイルクランプスプリングを配置し、接触クランプスプリング及びコイルクランプスプリングは、継電器の接触端と接触単位を挟持し、且つ接触クランプスプリングと組み合わせ面の間の最短距離をＹ１と定義し、コイルクランプスプリング及び組み合わせ面の間の最短距離をＹ２と定義し、そのうち、Ｙ１＜Ｙ２である（即ち、接触クランプスプリングと組み合わせ面の間の距離がコイルクランプスプリングと組み合わせ面の間の距離より小さい）。従って、継電器のコイル端子、接触端子が同じ長さであり、継電器の端子が接合物挿入孔に挿入される時、継電器の接触端は、先ず接触クランプスプリングと電気接続し、その後、コイル端子によりコイルクランプスプリングと電気接続する。接合物から継電器を抜き出す時、先ずコイル端子からコイルクランプスプリングの電気的導流を切断し、その後、接触端子から接触クランプスプリングとの電気的導通を切断する。
【発明の効果】
【００１１】
本発明は、接合物に対して継電器の抜き差しを行う過程でアーク現象の発生を回避でき、継電器及びそれと接合する接合物の損壊を招くことがない。
【図面の簡単な説明】
【００１２】
【図１】本発明の継電器の立体説明図である。
【図２】本発明の継電器の側面説明図である。
【図３】本発明の継電器及び接合物の立体分解説明図である。
【図４】本発明の継電器及び接合物の組み合わせの側面説明図である。
【図５】本発明の継電器及び接合物に対して抜き出す過程であり、コイル端子が接合物から離脱する説明図である。
【図６】本発明の継電器及び接合物に対して抜き出す過程であり、接触端子が接合物から離脱する説明図である。
【図７】本発明の接合物が継電器の端子に挿入される過程であり、先ず接触クランプスプリング及び接触端子と電気接続し、コイル端子がコイルクランプスプリングと電気接続していない説明図である。
【図８】図７に接続した後、コイル端子によりコイルクランプスプリングと電気接続する説明図である。
【図９】本発明の接合物から継電器を抜き出す時、先ずコイル端子からコイルクランプスプリングとの電気接続を切断する説明図である。
【図１０】図９に続いてその後に接触端子が接触クランプスプリングとの電気接続を切断し、接合物から継電器を完全に抜き出す説明図である。
【図１１】従来の継電器のコイル端子及び接触端子と同じ長さであり、また、接合物から完全に離脱していないコイルクランプスプリング、接触クランプスプリングの説明図である。
【発明を実施するための形態】
【００１３】
本発明の構造、特徴及びその目的を更に理解できるようにするため、図面および好適具体実施例により詳細を説明する。
【００１４】
前記接合物が継電器に対して抜き差しする過程でアーク現象を発生することを回避する目的を達成するため、継電器が接合する接合物と損壊を招くことがない効果を達成するため、具体的に行うことができる方法は、下記に挙げる方法実施例のとおりである。そのうち、該方法は、継電器が接合物に対して抜き差しする際にアークを発生しないようにする方法は、継電器が接合物に挿入される時、継電器の接触端子が先ず接合物と電気接続した後、継電器のコイル端子は、接合物と電気接続する。接合物から継電器を抜き出した時、それは、継電器のコイル端子と接合物の接続を解除した後、継電器の接触端子と接合物の接続を解除する。
【００１５】
前記方法を達成する為、２種の実行可能な技術案を提供し、それぞれ継電器、接合物に対して構造設計を行い、以下は、それぞれ継電器、接合物の構造に対して説明を行っている。
【００１６】
図１〜図２に示すように、継電器２は、コイル端子２１及び接触端子２２を含み（ここでは、２つのコイル端子２１及び２つの接触端子２２を例とし、コイル端子２１及び接触端子２２の数量を制限するものではなく、継電器２の外形及び継電器２の端子の外形を制限するものではない）、また該コイル端子２１は、継電器２底面から外向きに延伸する距離をＸ１と定義し、該接触端子２２が継電器２底面から外向きに延伸する距離をＸ２と定義し、そのうち、Ｘ１＜Ｘ２であり、即ち、コイル端子２１の長さが、接触端子２２の長さより小さい。
【００１７】
本発明の継電器２が達成できる目的及び効果について、図２〜図４を合わせて参照する。図３に示すように、継電器２は、接合物３に取り付けることができ、且つ接合物３は、コイル端子２１及び接触端子２２の配列形態、数量に合わせた挿入孔を予め設置し、接合物３をスイッチ、回路とする動作を提供し、且つ接合物３は、コンセント、電子機器、回路であることができる。本発明は、コイル端子２１の継電器２から外へ延伸する長さが接触端２２の継電器２から外へ延伸する長さより小さく、継電器２を抜き出す時、コイル端子２１の長さが接触端子２２の長さより小さいことによって、継電器２を抜き出す過程のコイル端子２１が先に接合物３から離れ、コイル端子２１に対して先に切断され（電流が流れなくなってから、コイル端子２１が接合物３との電気接続関係を先行で切り離す）、図５に示すようであり、その後、接触端子２２が切断され（この時、接触端子２２がようやく接合物３から離れる）、図６に示すようであり、このように、アークが継電器２及び継電器２と接合する接合物３の傷害を招くことが生じることがない。反対に、継電器２が接合物に挿入される時、接触端子２２の長さがコイル端子２１の長さより大きく、従って、接触端子２２が先に接合物３と電気的に連通した後、コイル端子２１により接合物３と電気的に連通する。これにより、本発明の目的及び効果を達成する。説明すべきこととして、本発明の図面は、接合物３から継電器２を抜き出すことを例としているが、同様に、継電器２を接合物３に挿入する時、継電器２の接触端子２２及びコイル端子２１が接合物に対して効果を発生する構造特徴もサポートすることができ、特に、図５において、矢印符合の方向を考慮しない時、図中の継電器２のコイル端子２１が接合物３内に挿入されていないが、継電器２の接触端子２２の一部のみが接合物３内に挿入されている。
【００１８】
図７〜図１０に示すように、接合物４及び継電器５があり、継電器５は、コイル端子５１及び接触端子５２を含み、且つコイル端子５１及び接触端子５２の両者の長さは、同じ長さである。該接合物４は、継電器５に向く組み合わせ面４１を有し、且つ組み合わせ面４１は、接合物４に入る接触挿入孔４２及びコイル挿入孔４３を設け、また、接触挿入孔４２及びコイル挿入孔４３内にそれぞれ接触クランプスプリング４及びコイルクランプスプリング４５を配置し、接触クランプスプリング４４及びコイルクランプスプリング４５は、それぞれ継電器５の接触端子５２及び接触端子５２を挟持し、且つ接触クランプスプリング４４及び組み合わせ面４１の間の最短距離をＹ１と定義し、コイルクランプスプリング４５と組み合わせ面４１の間の最短距離は、Ｙ２と定義し、そのうち、Ｙ１＜Ｙ２である（即ち、接触クランプスプリング４４と組み合わせ面４１の間の距離がコイルクランプスプリング４５及び組み合わせ面５２の距離より小さい、図１０参照）。
【００１９】
継電器５のコイル端子５１、接触端子５２は同じ長さであり、継電器５の端子が接合物４の挿入孔に挿入される時、継電器５の接触端子５２は、先ず接触クランプスプリング４４と電気接続し（図７参照）、その後、コイル端子５１及びコイルクランプスプリング４５と電気接続する（図８参照）。接合物から継電器５を抜き出す時、先ずコイル端子５１からコイルクランプスプリング４５との電気的導通を切断し（図９参照）、その後、接触端子５２から接触クランプスプリング４４との電気的導通を切断する（図１０参照）。
【００２０】
上記説明から分かるように、本発明は、接合物３、４上で継電器２、５を抜き出す時、継電器２、５のコイル端子２１、５１及び接合物３、４を切り離し、このように、継電器２、５が発生するアーク現象によって継電器２、５及び継電器２、５が接合する接合物３、４の傷害を招くことを回避する。同様に、継電器２、５を接合物３、４に挿入する時、継電器２、５の接触端子２２、５２が先ず接合物３、４と電気接続した後、継電器２、５のコイル端子２１、５１が接合物３と電気接続する。
【符号の説明】
【００２１】
〔従来技術〕
１  継電器
１１  コイル端子
１２  接触端子
１０  接合物
１０１  コイルクランプスプリング
１０２  接触クランプスプリング
〔本発明〕
２  継電器
２１  コイル端子
２２  接触端子
３  接合物
３１  挿入孔
４  接合物
４１  組接合面
４２  接触挿入孔
４３  コイル挿入孔
４４  接触クランプスプリング
４５  コイルクランプスプリング
５  継電器
５１  コイル端子
５２  接触端子
【図１】
2020504417.tif 000003
【図２】
2020504417.tif 000004
【図３】
2020504417.tif 000005
【図４】
2020504417.tif 000006
【図５】
2020504417.tif 000007
【図６】
2020504417.tif 000008
【図７】
2020504417.tif 000009
【図８】
2020504417.tif 000010
【図９】
2020504417.tif 000011
【図１０】
2020504417.tif 000012
【図１１】
2020504417.tif 000013
【国際調査報告】
2020504417.tif 000014
2020504417.tif 000015
2020504417.tif 000016
2020504417.tif 000017